(57)【特許請求の範囲】
【請求項１】
容器の口部を形成する筒状部材を有する容器本体と、前記筒状部材に被せて着脱自在にねじ止めされるキャップとを備え、前記キャップを前記筒状部材に対して締め込み、前記キャップの内周面に設けられた凸部に前記筒状部材の外周面に設けられた前記突起を乗り越えさせることによってこれらの凸部及び突起を互いに係合させて該キャップの緩みを防止するキャップ付き容器において、
前記筒状部材に、該筒状部材よりも軟材質で形成された弾性部材を設け、
前記弾性部材の前面に、前記突起をもつ可撓性の突片を前記筒状部材と一体に設け、
前記突片は、前記筒状部材の外周面に形成されたねじ部のねじ山に一体に設けられて該ねじ山の一部を形成するとともに、該ねじ山の延在方向に沿って延びることを特徴とするキャップ付き容器。
【請求項２】
前記弾性部材は、前記筒状部材に埋設固定されている、請求項１に記載のキャップ付き容器。
【請求項３】
前記筒状部材は、前記凸部が前記突起を乗り越えた後において前記凸部に当接してその締め込みを停止するストッパーを有する、請求項１又は２に記載のキャップ付き容器。
【発明の詳細な説明】
【技術分野】
【０００１】
この発明は、容器の口部にキャップをねじ止めした際に、キャップの不用意な緩みを防止する技術に関する。
【背景技術】
【０００２】
化粧品、洗剤、食品、飲料等を入れるのに使用されるボトル容器、ジャー容器及びチューブ容器等の各種容器では、容器の口部を密封する手段としてねじ止め式のキャップが装着される場合があるが、このようなキャップを備える容器は、外部からの不用意な力でキャップが簡単に緩むことがないように緩み止め機能を備えたものが知られている。例えば、特許文献１では、容器本体口部の雄ねじの下位に環状突起を設け、また蓋内面の雌ねじのねじ山末端に該ねじ山よりも低いねじ山を連設して、蓋の締め込みに際して、該低いねじ山末端部が環状突起に接しながら乗り越えるようにして蓋の緩みを防止するようにした蓋の緩み防止機構が提案されている。また、特許文献２では、キャップの緩みを防止するために、容器の口元部の雄ねじにキャップの緩み防止用の突起を形成した容器が提案されている。
【先行技術文献】
【特許文献】
【０００３】
【特許文献１】実開昭５９−１１５７５４号公報
【特許文献２】実開昭６２−１９９４９号公報
【発明の概要】
【発明が解決しようとする課題】
【０００４】
ところで、特許文献１で開示されたような緩み防止機構が適用された容器は、蓋を回転させ、蓋の上記低いねじ山を容器本体口部の環状突起に係合させたり、その係合を解除させたりして蓋の開閉を行った際に、これらのねじ山及び環状突起間に摩擦抵抗が生じるため、該ねじ山及び環状突起間の接触部が摩耗し緩み止め機能が比較的早期のうちに失われるという問題があった。また特許文献２で開示されたキャップの緩み防止容器は、キャップの雌ねじと口元部の雄ねじに形成された緩み防止用の突起とが摩擦係合するため、キャップ締め込み時の感触が硬いという欠点があった。
【０００５】
それゆえこの発明は、キャップの緩み止め機能を長期に亘って持続でき、しかもキャップを締め込む際の感触の柔らかいキャップ付き容器を提供することを目的とする。
【課題を解決するための手段】
【０００６】
この発明は、上記課題を解決するためになされたもので、容器の口部を形成する筒状部材を有する容器本体と、前記筒状部材に被せて着脱自在にねじ止めされるキャップとを備え、前記キャップを前記筒状部材に対して締め込み、前記キャップの内周面に設けられた凸部に前記筒状部材の外周面に設けられた前記突起を乗り越えさせることによってこれらの凸部及び突起を互いに係合させて該キャップの緩みを防止するキャップ付き容器において、前記筒状部材に、該筒状部材よりも軟材質で形成された弾性部材を設け、前記弾性部材の前面に、前記突起をもつ可撓性の突片を前記筒状部材と一体に設け、
前記突片は、前記筒状部材の外周面に形成されたねじ部のねじ山に一体に設けられて該ねじ山の一部を形成するとともに、該ねじ山の延在方向に沿って延びることを特徴とするものである。
【０００７】
かかるキャップ付き容器にあっては、突起をもち弾性部材の前面に配置された可撓性の突片は該弾性部材によって弾性支持されることから、キャップを容器の口部を形成する筒状部材に被せて締め込んでいくと、突片は、凸部が突起を乗り越えることに伴って弾性部材とともに弾性変形し、該凸部の乗り越えが完了すると突片は弾性部材とともに初期形態へと復元する。上記凸部が上記突起を乗り越えた後は、弾性部材は突片に対する反発力をもって確実な緩み止め機能を発揮可能とする。
【０００８】
従って、この発明のキャップ付き容器によれば、凸部が突起を乗り越える際に突起をもった突片を変形させることができるので、該乗り越え時に凸部及び突起間に生じる摩擦抵抗を低減して緩み止め機能を長期に亘って持続させることができ、またキャップを締め込む際の感触を柔らかくすることができる。しかも、凸部が突起を乗り越えた後は、外部から不用意な力がキャップに働いても弾性部材は突片に反発力を付与するので、確実な緩み止め機能がもたらされる。
【０００９】
なお、この発明のキャップ付き容器にあっては、前記弾性部材は、前記筒状部材に埋設固定されていることが好ましい。ここでいう「埋設固定」には、筒状部材の外周面に凹部を設けてその凹部内に弾性部材を固定する場合は勿論、筒状部材に径方向に貫く開口部を設けてその開口部内に弾性部材を固定する場合も含まれる。
【００１１】
さらに、この発明のキャップ付き容器にあっては、前記筒状部材は、前記凸部が前記突起を乗り越えた後において前記凸部に当接してその締め込みを停止するストッパーを有することが好ましい。
【発明の効果】
【００１２】
この発明によれば、緩み止め機能を長期に亘って持続でき、しかも凸部に突起を乗り越えさせる際の感触の柔らかいキャップ付き容器を提供することができる。
【図面の簡単な説明】
【００１３】
【図１】この発明の第１実施形態に係るキャップ付き容器を示した図であり、図１（ａ）において左側半分は外観図、右側半分は図１（ｂ）中のＢ−Ｂ線に沿った断面を示した断面図であり、図１（ｂ）は、図１（ａ）中のＡ−Ａ線に沿った断面を示した断面図である。
【図２】第１実施形態に係るキャップ付き容器の口部を拡大して示した斜視図である。
【図３】第１実施形態に係るキャップ付き容器における容器本体を示した斜視図である。
【図４】第２実施形態に係るキャップ付き容器の口部を拡大して示した斜視図である。
【図５】第１実施形態の変形例に係るキャップ付き容器を、図１（ｂ）と同様の断面で示した断面図である。
【発明を実施するための形態】
【００１４】
以下、この発明を実施の形態に従って図面を参照して説明する。
【００１５】
図１（ａ）に示すように、キャップ付き容器１は、容器本体２及びキャップ３を備える。容器本体２は、上部に内容物の注出に供する口部を形成する筒状部材４を有する。キャップ３は、内周面にねじ部５を有し筒状部材４の周りを取り囲む環状側壁６と、この環状側壁６の上端に一体成形される天面壁７とを有する。また、筒状部材４は外周面には、キャップ３のねじ部５と係合するねじ部８が形成されている。従って、キャップ３は、筒状部材４に被せて該筒状部材４に着脱自在にねじ止めされる。
【００１６】
図１（ｂ）及び図２に詳細に示すように、キャップ３の環状側壁６の内周面の下端部には、筒状部材４の基端部に設けられた突起１０を乗り越えることによってキャップ３の緩みを防止する凸部１１が設けられている。筒状部材４の基端部には、上記突起１０に近接して、キャップ３の凸部１１が該突起１０を乗り越えた後においてキャップ３の凸部１１に当接してキャップ３の締め込みを停止する凸状のストッパー１２が設けられている。ここでいう「突起１０に近接して」とは、ストッパー１２が、突起１０との間に凸部１１が嵌り込む空間を形成する距離に位置することを意味する。また、突起１０及び凸部１１には、キャップ３を回転させ、凸部１１を突起１０に係合させたり、その係合を解除させたりした場合にその摩擦抵抗を低減するようテーパー面１３、１４（推力面）がそれぞれ形成されている。
【００１７】
筒状部材４には、該筒状部材４よりも軟材質で形成された弾性部材１５が埋設固定されており、該弾性部材１５の前面１５ｆ（キャップ付き容器１の外部側に位置する面）には、該前面１５ｆに接した状態で、上記突起１０をもつ可撓性の突片１６が筒状部材４と一体に形成されている。この突片１６は、筒状部材４の周方向に沿って延び、その一端が筒状部材４の外周面に形成された凹部１７（後述する一次容器において形成され２次成形にて軟質材料が充填される凹部）の一側面に一体に連結され、他端が自由端となる片持ち支持片からなるが、突片の一端に加えて他端をも凹部１７の他側面に一体に連結した両持ち支持片としてもよい（図示省略）。上記突起１０は、突片１６の前面（キャップ付き容器１の外部側に位置する面であり、キャップ３の環状側壁６の内周面に対向する面）に形成されている。
【００１８】
弾性部材１５は、エラストマーやゴムのような軟質材料で形成することができるが、弾性部材１５を突片１６の背面（キャップ付き容器１の内部側に位置する面であり、突起１０が設けられている前面に対して背面側に位置する面）に接して配置するにあたっては、二材成形（インサート成形）により容易に実現することができる。すなわち、このようなキャップ付き容器１は、図１及び３等に示すように、予め容器の口部となる筒状部材４の外周面に該筒状部材４の上端から下端に軸方向Ｓに沿って延びる凹部１７及び上記突片１６を有する一次容器（図３中梨地で示した部分以外の部分）を形成しておき、その一次容器を金型に挿入後、上記凹部１７の上端開口部を鋳込み口として２回目の軟質材料（図３中梨地で示した部分）を注入して一体化することにより成形することができる。この例では、一次容器における凹部１７を筒状部材４に周方向に対向して２箇所（突片１０及びキャップ３の凸部１１もそれぞれ２箇所）配置しており、これにより２次成形において軟質材料からなる軟質層１５’（弾性部材１５と同時かつ一体に成形される軟質層）を胴部の外周に形成するにあたり、軟質材料を素早く胴部全周に回り込ませることができるが、一次容器における凹部１７は筒状部材４に少なくとも一箇所あればよい。
【００１９】
なお、本形態では、図３に示すように、容器本体２の胴部の下端部には、容器本体２の底部を形成する底蓋１８（図中、仮想線で示す）が別体として組み付けられるが、勿論、胴部と底部とは一体に形成してもよい。
【００２０】
かかるキャップ付き容器１にあっては、突起１０をもち弾性部材１５の前面１５ｆに配置された可撓性の突片１６は該弾性部材１５によって弾性支持されることから、キャップ３を容器本体２の口部を形成する筒状部材４に被せて締め込んでいくと、突片１６は、凸部１１が突起１０を乗り越えることに伴って弾性部材１５とともに弾性変形し、該凸部１１の乗り越えが完了すると突片１６は弾性部材１５とともに初期形態へと復元する。上記凸部１１が上記突起１０を乗り越えた後は、弾性部材１５は突片１６に対する反発力をもって確実な緩み止め機能を発揮可能とする。
【００２１】
従って、この実施形態のキャップ付き容器１によれば、凸部１１が突起１０を乗り越える際に突起１０をもった突片１６を変形させることができるので、該乗り越え時に凸部１１及び突起１０間に生じる摩擦抵抗を低減して緩み止め機能を長期に亘って持続させることができ、またキャップ３を締め込む際の感触を柔らかくすることができる。しかも、凸部１１が突起１０を乗り越えた後は、外部から不用意な力がキャップ３に働いても弾性部材１５は突片１６に反発力を付与するので、確実な緩み止め機能がもたらされる。
【００２２】
また、この実施形態のキャップ付き容器１では、弾性部材１５を、筒状部材４に埋設固定したことから、筒状部材４及びこれに被せるキャップ３をスリムに設計することができる。
【００２３】
さらに、この実施形態のキャップ付き容器１では、筒状部材４に、凸部１１が突起１０を乗り越えた後において凸部１１に当接してその締め込みを停止するストッパー１２を設けたことから、キャップ３の位置合わせが可能であるとともに、凸部１１がストッパー１２に当接することで緩み止め機能が発揮された状態にあることを確実に把握できるようになる。
【００２４】
さらに、この実施形態のキャップ付き容器１では、突起１０及び凸部１１に、キャップ３を回転させ、凸部１１を突起１０に係合させたり、その係合を解除させたりした場合にその摩擦抵抗を低減するようテーパー面１３、１４（推力面）をそれぞれ形成したことから、緩み止め機能をより一層長期に亘って持続させることができる。
【００２５】
しかも、この実施形態のキャップ付き容器１では、弾性部材１５をインサート成形により形成したエラストマー等の軟材質とし、しかも容器本体２の胴部外周にも弾性部材１５と同一材料からなる軟質層１５’を設けたことから、弾性部材１５を突片１６の背面に容易に配置することができるとともに、外観のマット感、感触に特徴を持たせることができる。
【００２６】
次いで、この発明の他の実施形態について、図４を参照して説明する。ここに図４は、この発明に従う第２実施形態のキャップ付き容器を、容器の口部を拡大して示した斜視図である。なお、先の第１実施形態において説明した部材と同様の部材には同様の符号を付す。
【００２７】
図４に示すように、この実施形態では、突起１０Ａを有する突片１６Ａを筒状部材４Ａの外周面に形成されたねじ部８Ａに一体に設けて該ねじ部８Ａの一部を形成するようにしている。突片１６Ａの背面側には弾性部材１５Ａが設けられている。また、筒状部材４Ａのねじ部８Ａには、突片１６Ａに近接して、凸部１１が突起１０Ａを乗り越えた後において該凸部１０Ａに当接してその締め込みを停止する凸状のストッパー１２Ａが設けられている。これによれば、突片１６Ａを筒状部材４Ａに設けるにあたり、目立たなく配置することができるという利点がある。なお、この例では、突片１６Ａはねじ部８Ａの最下段に配置したが、他の段に配置してもよい。
【００２８】
以上、図示例に基づき説明したが、この発明は上述の例に限定されるものでなく、特許請求の範囲の記載範囲内で適宜変更することができるものであり、例えば、第１実施形態において突片１６は凹部１７の側面から締め付け方向ＤＣに向けて突出するよう設けているが、その逆に図５に示すように、キャップ３の開方向ＤＯに向けて突出するよう設けてもよい。また、この発明において、突片１６及び弾性部材１５は、少なくとも各１個設けられていれば良く、その配置に関しても上述の実施形態に限定されない。例えば、突片１６及び弾性部材は、筒状部材４のねじ部８とねじ部８の谷間に設けたり、筒状部材４に周方向に間隔を空けて３箇所以上設けたりしてもよい。
【産業上の利用可能性】
【００２９】
かくしてこの発明によれば、緩み止め機能を長期に亘って持続でき、しかもキャップを締め込む際の感触が柔らかいキャップ付き容器を提供することができる。
【符号の説明】
【００３０】
１  キャップ付き容器
２  容器本体
３  キャップ
４、４Ａ  筒状部材（口部）
５  ねじ部
６  環状側壁
７  天面壁
８、８Ａ  ねじ部
１０、１０Ａ  突起
１１  凸部
１２、１２Ａ  ストッパー
１３、１４  テーパー面
１５、１５Ａ  弾性部材
１６、１６Ａ  突片
１７  凹部
１８  底蓋
【図１】
0005567321.tif 000002
【図２】
0005567321.tif 000003
【図３】
0005567321.tif 000004
【図４】
0005567321.tif 000005
【図５】
0005567321.tif 000006